(57)【要約】【課題】使用者が意図して開閉できる開閉部と過張力付与時に分離する非常用分離部との両方を備えても、開閉に手間取ることなく、結合して輪にすることが簡便で、コストを低減できるストラップ（５１）を提供する。【解決手段】ストラップ部（９）とその一端部の第１係合部（７Ｒ）と他端部の第２係合部（７Ｌ）とを備え、一端部に第１係合部（７Ｒ）と係合する第３係合部（８ｂ，８ｃ）を有し他端部に第２係合部（７Ｌ）と係合する第４係合部（８ｆ）を有する中継連結体（８）を介して、第１結合部（７Ｒ）と第２結合部（７Ｌ）とが連結可能とされ、係合した第１及び第３係合部（７Ｒ）（８ｂ，８ｃ）はストラップ部（９）に加わる所定以上の張力で係合が解除し、第２係合部（７Ｌ）と第４係合部（８ｆ）とは張力とは異なる方向の一の向きの力で係合し、一の向きとは逆向きの力で係合が解除する。【選択図】図１
2008183284.tif 000002
【特許請求の範囲】
【請求項１】
紐状のストラップ部と、
該ストラップ部の一端部に設けられた第１係合部と、
該ストラップ部の他端部に設けられた第２係合部と、を備え、
一端部に前記第１係合部と係合する第３係合部を有すると共に、他端部に前記第２係合部と係合する第４係合部を有する中継連結体を介して前記第１結合部と前記第２結合部とが連結可能とされたストラップであって、
係合した前記第１及び第３係合部は、ストラップ部に加わる所定の大きさ以上の張力によりその係合が解除し、
前記第２係合部と前記第４係合部とは、前記張力とは異なる方向の一の向きの力で係合すると共に、前記一の向きとは逆向きの力で前記係合が解除するよう構成されていることを特徴とするストラップ。
【請求項２】
前記第１係合部と前記第２係合部とは、互いを押圧する押圧力により係合すると共に、係合した前記第１及び第２係合部は、前記所定の大きさ以上の張力によりその係合が解除されるよう構成されていることを特徴とする請求項１記載のストラップ。
【請求項３】
前記中継連結体は、別の該中継連結体の第４の係合部と係合する第５の係合部を備え、
一の前記中継連結体の第４係合部と別の前記中継連結体の第５係合部とが、前記張力とは異なる方向の一の向きの力で係合すると共に、係合した前記第４及び第５係合部は、前記一の向きとは逆向きの力でその係合が解除するよう構成されていることを特徴とする請求項１または請求項２記載のストラップ。
【請求項４】
請求項１乃至３のいずれか１項に記載のストラップと、
該ストラップの前記ストラップ部から分離して延出したコードと、
該コードの端部に設けられた電気音響変換器と、を備えたことを特徴とするヘッドホン。
【発明の詳細な説明】
【技術分野】
【０００１】
本発明は、ストラップ及びそれを備えたヘッドホンに係り、特に、首にかけるネックストラップの開閉構造に関する。
【背景技術】
【０００２】
携帯音楽端末の普及に伴い、その再生音を聴くためのヘッドホンとして、ヘッドバンドを備えずに軽量で取り扱いが容易な、例えばインナーイヤー型のヘッドホンがある。
このヘッドホンに対して、更に近年、使用時の取り扱いがより容易となるように、首に掛けるストラップを一体化した、いわゆるネックストラップタイプのヘッドホンが普及してきている。
一方、ネックストラップを直接携帯音楽端末や携帯電話に取り付けて首にかける使用形態も常態化してきている。
【０００３】
ここで、ネックストラップタイプのヘッドホンの一例として、特許文献１及び特許文献２に記載されたものがある。
また、ストラップの一例としては特許文献３に記載されたものがある。
【特許文献１】登録実用新案第３０３９６９４号公報
【特許文献２】特開２００１−３１３９９１号公報
【特許文献３】特開２００１−２１８６１３号公報
【発明の開示】
【発明が解決しようとする課題】
【０００４】
この首に掛けるストラップは、当然に輪として形成されるので、首にかける際の利便性のために、使用者が意図的に輪の一部を分離できるような開閉部を備えたものがあり、上述した特許文献１及び特許文献２にも、それぞれ首輪開閉手段１１及び連結部材６，７として記載されている。
【０００５】
一方、ストラップが輪として閉じられた状態では、このストラップが意図せずに壁のフックなどに引っかかるなどして強い張力が加わる可能性も否定できず、このようにストラップに強い張力が加わった場合に容易に分離する非常用分離部を備えたものがあり、これは上述した特許文献３に記載されている。
さらに、この非常用分離部と、開閉部とを独立して両方備えたものが知られている（図７参照）。
【０００６】
図７における従来のヘッドホン１０１は、右耳用及び左耳用の一対の本体部１０２Ｌ，１０２Ｒと、各本体部１から延びるコード１０３Ｌ，１０３Ｒと、コード１０３Ｌ，１０３Ｒと中継部１０４で連結し、中間部にブッシング１０５が設けられた第１ストラップ１０６と、第１ストラップ１０６の一方の端部に設けられたストラップの開閉部１０７と、他方の端部に設けられた非常用分離部１０８と、両端部がそれぞれストラップの開閉部１０７及び非常用分離部１０８に対して分離接続される第２ストラップ１０９と、を備えている。
【０００７】
このヘッドホン１０１は、開閉部１０７及び非常用分離部１０８で第１ストラップ１０６と第２ストラップ１０９とをそれぞれ連結するものである。
【０００８】
ブッシング１０５からは、携帯音楽端末などの音声出力機器に接続するためのプラグ１１０がコード１１１を介して引き出されている。
【０００９】
この従来のヘッドホン１０１においては、開閉部１０７と非常用分離部１０８が、それぞれ左右に独立して設けられている。そのため、このヘッドホン１０１を首に掛けた使用状態でストラップ１０９を開閉部１０７で分離しようとした際に、左右のどちら側が開閉部１０７であるかを判別する必要があり、ストラップの取り外しに手間取る場合があった。
また、首にかけた際に、体の正面側から開閉部１０７や非常用分離部１０８が視認されるので、デザイン上のアクセントにはなるものの、逆に装着感を軽く見せる場合には、工夫が必要になるものであった。
また、第１ストラップ１０６の両端にそれぞれ開閉部１０７及び非常用分離部１０８の片方側の部材が設けられ、第２ストラップ１０９の両端にそれぞれ開閉部及び非常用分離部と結合する部材が設けられているので、第２ストラップ１０９と第１ストラップ１０６とを連結する場合には互いの向きに配慮しなければならず、より簡便に結合できることが望まれていた。
また、第１ストラップ及び第２ストラップの各両端部に、合計４種の部材を使用してコスト高となるので、コストを低減できる構造が求められていた。
【００１０】
そこで、本発明が解決しようとする課題は、輪状であって輪を開閉できるストラップ及びそれを備えたヘッドホンにおいて、ストラップに、使用者が意図して開閉できる開閉部と過張力付与時に分離する非常用分離部との両方を備えながらも、開閉に手間取ることがなく、結合して（閉じて）輪にすることが簡便であり、コストを低減できるストラップ及びそれを備えたヘッドホンを提供することにある。
【課題を解決するための手段】
【００１１】
上記の課題を解決するために、本願発明は次の１）〜４）の手段を有する。尚、この１）〜４）の記載における符号は、煩雑化を避けるために、主に第２実施例に対応した符号を付している。
１）  紐状のストラップ部（９）と、
該ストラップ部（９）の一端部に設けられた第１係合部（７Ｒ）と、
該ストラップ部（９）の他端部に設けられた第２係合部（７Ｌ）と、を備え、
一端部に前記第１係合部（７Ｒ）と係合する第３係合部（８ｂ，８ｃ）を有すると共に、他端部に前記第２係合部（７Ｌ）と係合する第４係合部（８ｆ）を有する中継連結体（８）を介して、前記第１結合部（７Ｒ）と前記第２結合部（７Ｌ）とが連結可能とされたストラップであって、
係合した前記第１及び第３係合部（７Ｒ）（８ｂ，８ｃ）は、ストラップ部（９）に加わる所定の大きさ以上の張力によりその係合が解除し、
前記第２係合部（７Ｌ）と前記第４係合部（８ｆ）とは、前記張力とは異なる方向の一の向きの力で係合すると共に、前記一の向きとは逆向きの力で前記係合が解除するよう構成されていることを特徴とするストラップ（５１）である。
２）  前記第１係合部（７Ｒ）と前記第２係合部（７Ｌ）とは、互いを押圧する押圧力により係合すると共に、係合した前記第１及び第２係合部（７Ｒ）（７Ｌ）は、前記所定の大きさ以上の張力によりその係合が解除されるよう構成されていることを特徴とする１）に記載のストラップ（５１）である。
３）  前記中継連結体（８）は、別の該中継連結体（８）の第４の係合部（８ｆ）と係合する第５の係合部（８ｄ）を備え、
一の前記中継連結体（８）の第４係合部（８ｆ）と別の前記中継連結体（８）の第５係合部（８ｄ）とが、前記張力とは異なる方向の一の向きの力で係合すると共に、係合した前記第４及び第５係合部（８ｆ）（８ｄ）は、前記一の向きとは逆向きの力でその係合が解除するよう構成されていることを特徴とする１）または２）に記載のストラップ（５１）である。
４）  １）乃至３）のいずれかに記載のストラップ（５１）と、
該ストラップ（５１）の前記ストラップ部（９）から分離して延出したコードと（２Ｌ，２Ｒ）、
該コード（２Ｌ，２Ｒ）の端部に設けられた電気音響変換器（１Ｌ，１Ｒ）と、を備えたことを特徴とするヘッドホン（５０）である。
【発明の効果】
【００１２】
本発明によれば、開閉に手間取ることがなく、閉じて輪にすることが簡便であり、コストを低減できる、という効果を奏する。
【発明を実施するための最良の形態】
【００１３】
本発明の実施の形態を、好ましい実施例により図１〜図６を用いて説明する。
【００１４】
図１は、実施例のヘッドホン５０の外観斜視図である。
このヘッドホン５０は、ストラップ５１と、そのストラップ５１から分岐したコード２Ｌ，２Ｒと、その先端に設けられた一対の電気音響変換器１Ｌ，１Ｒと、を備えた、いわゆるネックストラップタイプのヘッドホンである。
具体的に説明すると、このヘッドホン５０は、音声を出力する一対の電気音響変換器であって左右の耳にそれぞれ装着される本体部１Ｌ，１Ｒと、この本体部１Ｌ，１Ｒからそれぞれ引き出されたコード２Ｌ，２Ｒと、紐輪状のストラップを構成する一対の第１ストラップ部３Ｌ，３Ｒと、第１ストラップ部３Ｌ，３Ｒの各一端側を結合する結合ハウジング４と、第１ストラップ部３Ｌ，３Ｒの各一端側とコード２Ｌ，２Ｒの一端側とをそれぞれ結合する中継ハウジング５Ｌ，５Ｒと、各中継ハウジング５Ｌ，５Ｒに一端側が連結され輪状のストラップを構成する第２ストラップ部６Ｌ，６Ｒと、を備えている。
また、第２ストラップ部６Ｌ，６Ｒの他端側には、連結部７Ｌ，７Ｒがそれぞれ結合されており、各連結部７Ｌ，７Ｒは、中継連結体２８により連結されている。
【００１５】
この構成において、中継連結体２８及び結合ハウジング４を介して第１ストラップ部３Ｌ，３Ｒと第２ストラップ部６Ｌ，６Ｒとにより輪状とされ得るストラップ部９が形成されている。
また、一端に電気音響変換器１Ｌ，１Ｒが取り付けられたコード２Ｌ，２Ｒは、ストラップ部９から分離して延出した形態となっている。
【００１６】
結合ハウジング４からは、携帯音楽端末などの音声信号出力機器に接続するためのステレオタイプのプラグ１０がプラグコード１１を介して引き出されている。
第１ストラップ部３Ｌ，３Ｒ及び結合ハウジング４の中には、それぞれ信号線が連続して配設されており、本体部１Ｌ，１Ｒとプラグ１０とは左右２チャネルが独立してそれぞれ電気的に接続されている。
また、結合ハウジング４の近傍には、本体部１Ｌ，１Ｒを保持できる保持部１２Ｌ，１２Ｒを備えたホルダ１２がコード３Ｌ，３Ｒと一体に形成されている。
従って、ヘッドホン５０の不使用時には、本体部１Ｌ，１Ｒをこのホルダ１２に保持することができ、その収納や携帯が容易とされている。
【００１７】
結合ハウジング４，連結部７Ｌ，７Ｒ，及び中継連結体２８は、ＰＰ（ポリプロピレン）やＡＢＳ（アクリロニトリル・ブタジエン・スチレン）などの熱可塑性樹脂により形成される。
【００１８】
このヘッドホン５０は、使用者が意図的に輪状のストラップ部９を開閉できる構造と、ストラップ部９に対して過度の張力が付与された場合に、安全確保及び破壊防止のため自動的に分離する構造と、を備えているので、図２〜図５を用い、その第１実施例及び第２実施例について詳述する。
【００１９】
＜第１実施例＞
図２は、中継連結体２８とこれに連結される連結部７Ｌ，７Ｒとを示しており、まず、開閉できる構造を有する開閉部１３について説明する。
【００２０】
第２ストラップ部６Ｒの端部に設けられた連結部７Ｒは、基部７Ｒ１と、その基部７Ｒ１から円柱状に突出する柱状突出部７Ｒ２と、柱状突出部７Ｒ２の先端側に形成され径方向に突出する突起部７Ｒ３と、を備えている。
【００２１】
一方、中継連結体２８の一端側には、矢視Ｓ図に示した係合穴２８ａと、係合穴２８ａから径方向に切り込まれて奥行き方向にＬ字状に屈曲した屈曲部２８ｂ１を有するガイド溝２８ｂとが形成されている。
【００２２】
係合穴２８ａには、連結部７Ｒの柱状突出部７Ｒ２が、突起部７Ｒ３とガイド溝２８ｂとの位置合わせがされた状態で挿入可能となっている。
【００２３】
この構成において、突起部７Ｒ３とガイド溝２８ｂとの位置合わせをして係合穴２８ａに柱状突出部７Ｒ２を挿入し（矢印Ｄ１方向）、突起部７Ｒ３がＬ字状のガイド溝２８ｂに沿うように回転させた（矢印Ｄ２方向）際に、突起部７Ｒ３とガイド溝２８ｂの屈曲部２８ｂ１とは、両者の間に若干の摩擦力が発生するように寸法が規定されている。
【００２４】
従って、連結部７Ｒを抜去しようとしても、突起部７Ｒ３が屈曲部２８ｂ１に引っ掛かって抜去できず、さらに、突起部７Ｒ３とガイド溝２８ｂとの摩擦力により矢印Ｄ２の逆方向には容易に回らない。
よって、使用者が意図しない場合に連結部７Ｒが中継連結体から抜けることはない。
【００２５】
次に、ストラップ部９に過剰な張力が加わった場合に自動的に分離する分離構造を有する分離部１４について説明する。
【００２６】
第２ストラップ部６Ｌの端部に設けられた連結部７Ｌは、基部７Ｌ１と、その基部７Ｌ１から突出する突出部７Ｌ２と、を備えている。
突出部７Ｌ２は、その先端側に、先端に向かうに従って小径となる円錐台の表面形状の一部が係合部７Ｌ３として設けられている。
【００２７】
一方、中継連結体２８の係合穴２８ａが形成された側とは反対側に、係合部７Ｌ３が挿入可能な挿入穴２８ｃが形成されている。
この挿入穴２８ｃの内面には、中継連結体２８の端面２８ｔからの所定深さ位置に、内側に突出する係合突起８ｄが径方向に対向して一対設けられている。
【００２８】
この構成において、係合部７Ｌ３の最大径よりも、係合突起８ｃの内径の方が若干小さくなるように設定されている。
【００２９】
従って、係合部７Ｌ３を挿入穴８ｃに挿入して押し込んだ際には、係合部７Ｌ３は、係合突起８ｃを外側に広げるように中継連結体８を弾性変形させた後に係合突起８ｃを通過して係合が完了する。
よって、連結部７Ｌを中継連結体８から抜去する際には、中継連結体８の弾性力に基づく所定の抵抗力が発生し、その抵抗力以上の抜去力が付与された場合に、中継連結体２８の弾性変形に抗して連結部７Ｌが抜去される。
【００３０】
上述した第１実施例は、ストラップ部９の輪の開閉と緊急時の輪の分離とを、３つの部材で実現できるものであり、コストアップを抑制することができる。
また、短い中継連結体２８の両端部で開閉と分離とが行われるので、使用者が首から外す際にも、開閉場所が容易に、手探りでも分かるので、開閉に手間取ることはない。
また、分離は一方向（ストラップの延在方向）の引き抜きで実現し、開閉動作は一方向（ストラップの延在方向）の挿抜動作に加えて回転動作が必要であるので、ストラップ部９に付与される張力で開閉と分離とが同時に実行されることはない。
【００３１】
以上説明した構造において、突起部７Ｒ３や係合突起２８ｄの数は限定されるものではない。
また、係合する凹凸関係は、逆であってもよい。
また、分離部１４については、樹脂成形品の弾性変形力を利用した例を示したが、これに限るものではなく、マグネットの磁力を利用するものであってもよい。
【００３２】
＜第２実施例＞
上述した第１実施例は、連結部７Ｌと連結部７Ｒとが違いに異なる形状を有する例であったが、以下に説明する第２実施例は、両者が同一の形状であり、中継連結体８により連結されるように構成されている。
図３は、第２ストラップ部６Ｌ，６Ｒの一端に設けられた連結部７Ｌ，７Ｒを説明する図である。各連結部７Ｌ，７Ｒは共通であるので、以下の説明においては、連結部７として説明する。
【００３３】
図３において、連結部７は、樹脂材料により略円筒状に形成されている。
端面７ａには、その外周面に沿い円弧状に突出する大径係止爪７ｂが対向して一対設けられている。
この大径係止爪７ｂは、その周方向角度幅が角度θ７ｂで形成されている。
この大径係止爪７ｂの内周面には、中心に向かって断面三角形状に突出する係止凸部７ｂ１が設けられている。
【００３４】
また、端面７ａにおける大径係止爪７ｂに対して９０°ずれた位置に、大径係止爪７ｂよりも小径の円弧状に突出する小径係止爪７ｃが対向して一対設けられている。
この小径係止爪７ｃは、その周方向角度幅が角度θ７ｃで形成されている。
この実施例においては、角度θ７ｂ＝角度θ７ｃと設定されている。
また、小径係止爪７ｃの外周面には、断面三角形状の周溝である係止凹部７ｃ１が設けられている。
【００３５】
そして、２つの連結部７を互いの端面７ａ同士を９０°ずらして結合させようとした際に、各爪の弾性変形を経て、係止凸部７ｂ１と係止凹部７ｃ１とが係合するように寸法が設定されている。
この係合は、係止凸部７ｂ１及び係止凹部７ｃ１が断面が三角形状に形成されているので、所定値以上の力で両者を分離しようとした際に解除され、２つの連結部７は分離する。
従って、大径係止爪７ｂと小径係止爪７ｃとにより、ストラップ部９に過剰な張力が加わった場合に自動的に分離する分離部１４が構成される。
【００３６】
また、この実施例において、大径係止爪７ｂと小径係止爪７ｃとの周方向の間隙を示す間隙角度θ７ｒはθ７ｂ及びθ７ｃよりも小さく設定されている。
これにより、係合した２つの連結部７のいずれかを中心Ｏの回りに回動した（ずらした）際に、一方の大径係止爪と他方の大径係止爪、または、一方の小径係止爪と他方の小径係止爪とが周方向に当接して回動が規制されるので、２つの連結部７が回動によって分離することはない。
また、この実施例においては、各爪は円弧状に形成されているので撓み剛性が比較的高くなっているが、弾性変形が良好に可能なように肉厚が設定されている。
もちろん、各爪は円弧状に限るものではなく、容易に撓める直線状に形成されていてもよい。
【００３７】
また、連結部７の端面７ａには、深さｄなる雌ねじ部７ｄが形成されている。
この雌ねじ部７ｄには、詳細を後述する中継連結体８の雄ねじ部８ｆが螺合する。
【００３８】
図４は、連結部７Ｌ，７Ｒを中継して連結するための中継連結体８を説明する図である。
【００３９】
この中継連結体８は、円筒状に樹脂により形成されている。
一方の端面８ａには、連結部７と同様に大径係止爪８ｂ及び小径係止爪８ｃが形成されている。
すなわち、端面８ａには、その外周面に沿い円弧状に突出する大径係止爪８ｂが対向して一対設けられている。
この大径係止爪８ｂは、その周方向角度幅が角度θ８ｂで形成されている。
この大径係止爪８ｂの内周面には、中心に向かって断面三角形状に突出する係止凸部８ｂ１が設けられている。
【００４０】
また、端面８ａにおける大径係止爪８ｂに対して９０°ずれた位置に、大径係止爪８ｂよりも小径の円弧状に突出する小径係止爪８ｃが対向して一対設けられている。
この小径係止爪８ｃは、その周方向角度幅が角度θ８ｃで形成されている。
この実施例においては、角度θ８ｂ＝角度θ８ｃ＝角度θ７ｂ＝角度θ７ｃと設定されている。
また、小径係止爪８ｃの外周面には、断面三角形状の周溝である係止凹部８ｃ１が設けられている。
【００４１】
そして、中継連結体８の端面８ａと連結部７の端面７ａとを互いに９０°ずらして結合させようとした際に、各爪の弾性変形を経て、係止凸部８ｂ１と係止凹部７ｃ１とが、及び、係止凹部８ｃ１と係止凸部７ｂ１とが、係合するように寸法が設定されている。
この係合は、係止凸部８ｂ１及び係止凸部７ｂ１、並びに、係止凹部７ｃ１及び係止凹部７ｃ１が、断面三角形状に形成されているので、所定値以上の力で両者を分離しようとした際に解除され、中継連結体８と連結部７とは分離する。
【００４２】
従って、大径係止爪８ｂ及び大径係止爪７ｂと小径係止爪８ｃ及び小径係止爪７ｃとにより、ストラップ部９に過剰な張力が加わった場合に自動的に分離する分離部１４が構成される。
【００４３】
また、この実施例において、大径係止爪８ｂと小径係止爪８ｃとの周方向の間隙を示す間隙角度θ８ｒはθ８ｂ及びθ８ｃよりも小さく設定されている。
これにより、係合した中継連結体８と連結部７とのいずれかを中心ＣＴＲの回りに回動した（ずらした）際に、一方の大径係止爪と他方の大径係止爪、または、一方  の小径係止爪と他方の小径係止爪とが周方向に当接して回動が規制されるので、中継連結体８と連結部７とが回動により分離することはない。
【００４４】
中継連結体８の他方の端面８ｅには、雄ねじを有する雄ねじ部８ｆが突設されている。
また、雄ねじ部８ｆの先端には、雄ねじ部８ｆより小径の突き当て部８ｇが突設されている。この雄ねじ部８ｆに対する螺合については後述する。
【００４５】
次に、連結部同士の連結、及び、中継連結体を介した連結部の連結について、模式図である図５を用いて説明する。
【００４６】
（中継連結体８を用いない連結／分離〔過負荷時の自動分離〕）
中継連結体８を利用しない連結部７同士の連結については、上述しているが、図５（ａ）により具体的に説明する。
【００４７】
すなわち、２つの連結部７Ｌ，７Ｒを、図５（ａ−１），図５（ａ−２）のように、９０°ずらし、軸方向（矢印Ｄ１方向）で対向させ、互いに押圧する方向の力Ｆ１で付勢して連結する。
これにより、一方の連結部７Ｌにおける大径係止爪７ｂの係止凸部７ｂ１と他方の連結部７Ｒにおける小径係止爪７ｃの係止凹部７ｃ１とが、各爪の弾性変形を経て係合する。
従って、各爪の弾性変形に抗してこの係合が解除できる軸方向の抜去力（力Ｆ１とは反対向きの力）が加わることで両者は自ずと分離する。
【００４８】
（中継連結体８を用いた意図的連結／分離〔意図的開閉〕）
中継連結体８は、図５（ｂ）に示すように、連結部７Ｌ，７Ｒの間にて用いられる。
そして、図５（ｃ）に示すように、中継連結体８の雄ねじ部８ｆと、連結部７Ｌの雌ねじ部７ｄとを螺合することで両者は連結される。
すなわち、この連結は、軸ＣＴＲ回りの回動力ＦＲを付与することで実現する。
【００４９】
この実施例においては、螺合に際し、連結部７の大径係止爪７ｂが中継連結体８に当接する前に、突き当て部８ｇが雌ねじ部７ｅの底面７ｄ１に当接するように設定されているので、大径係止爪７ｂが破壊することはない。
この螺合により、連結部７と中継連結体８とは、意図的に連結／分離することができる。
【００５０】
（中継連結体８を用いた過負荷時の自動分離）
図５（ｄ）に示すように、中継連結体８及び連結部７Ｒの、大径係止爪７ｂ，８ｂと小径係止爪７ｃ，８ｃとが弾性変形を経て係合することで、両者は連結する。
両者の分離は、上述したように、軸方向Ｄ１の過負荷抜去力が加わった際に自動的に行われる。
【００５１】
上述した係合関係において、凸と凹とは逆の関係となるように形成されていてもよい。
また、軸回りの回動規制については、対向する連結部７の端面７ａと中継連結体８の端面８ａとに、互いに当接して回動を規制する構造を設けて実現してもよい。
【００５２】
図４に示すように、中継連結体８に雌ねじ部８ｄを設けることにより、別の中継連結体８の雄ねじ部８ｆをこの雌ねじ部８ｄに螺合させて中継連結体８をスタックすることができる。３つの中継連結体８−１〜８−３を結合した状態を図５（ｅ）に示す。
予め、色，表面状態、あるいは外径などの形状の異なる複数種の中継連結体８を作成しておき、複数の中継連結体８を連結してその色，表面状態あるいは形状の組み合わせで固有識別効果を発揮させてもよい。
【００５３】
例えば、実施例のストラップ５１の斜視図である図６に示すように、連結部７Ｌ，７Ｒはフラット面のグレー，中継連結体は、フラット面の黄色（８Ｘ），梨地面の青色（８Ｙ），ディンプル面の赤色（８Ｚ）などと自由に組み合わせることができる。
もちろん、色や表面状態の違いに限らず、印刷や刻印による文字、数字、記号、などを付与して種類分けしてもよい。
形状については、指の当て部を設けて開閉作業を更に容易にするなど、自由に設定することができる。
【００５４】
この組み合わせは、例えば、所有者を特定する識別情報として、着衣との色のコーディネートとして、あるいは、ファッション的自己主張の手段として設定することができる。
また、これらの中継連結体８は、樹脂で形成されるので多種作成したとしても比較的安価に提供できる。
さらに、連結数は任意の数であり、その連結数によらず、意図的開閉と過負荷時の分離との両方の機能を発揮することができるものであることは言うまでもない。
【００５５】
以上詳述した実施例は、連結部７の間に中継連結体８を挿入し、ストラップ９に過剰な張力、換言するならば、所定の値（大きさ）以上の引き離し力が付与された場合には、中継連結体８と一方の連結部７との間で分離し、意図的にストラップ９を開きたい場合には、引き離し力とは異なる方向の所定向きの力（例えば回動力における時計回りや張力に直交する力の一の向きなど）を付与することでそれが実現できるものである。
従って、ストラップ９の意図的分離と過負荷時分離とが、同じ力の付与状況下で実行されることがないので、使い勝手が大変優れている。
【００５６】
また、２つの連結部７Ｌ，７Ｒを同一形状部材とすることができるので、それによりコストダウンが実現する。
【００５７】
２つの連結部７Ｌ，７Ｒを同一形状部材とした場合、使用者が中継連結体８を万一紛失したとしても、その連結部７Ｌ，７Ｒ同士を連結することができるので、この紛失によってヘッドホン５０が使えなくなる、という無駄は生じない。
また、その場合においても、連結が過負荷時分離機能を維持するので、ヘッドホンをより安全に、また、破損するおそれも少なく継続使用することができる。
【００５８】
さらに、中継連結体８を複数個連結することができるので、異種の中継連結体８を連結することで、固有情報の識別機能を付与することができる。
【００５９】
上述した実施例はストラップ５１を備えたヘッドホン５０の例であるが、ストラップ単体５１に適用することができるものであることは言うまでもない。
【００６０】
本発明の実施例は、上述した構成及び手順に限定されるものではなく、本発明の要旨を逸脱しない範囲において変形例としてもよいのは言うまでもない。
【図面の簡単な説明】
【００６１】
【図１】本発明のヘッドホンの実施例を示す斜視図である。
【図２】本発明のヘッドホンの実施例における要部を説明するための斜視図である。
【図３】本発明のヘッドホンの実施例における連結部を説明するための２面図である。
【図４】本発明のヘッドホンの実施例における中継連結体を説明するための３面図である。
【図５】本発明のヘッドホンの実施例におけるストラップの開閉作用を説明するための図である。
【図６】本発明のストラップの実施例を説明するための部分斜視図である。
【図７】従来のヘッドホンを説明するための斜視図である。
【符号の説明】
【００６２】
１Ｌ，１Ｒ  本体部
２Ｌ，２Ｒ  コード
３Ｌ，３Ｒ  第１ストラップ部
４  結合ハウジング
５Ｌ，５Ｒ  中継ハウジング
６Ｌ，６Ｒ  第２ストラップ部
７，７Ｌ，７Ｒ  連結部
７ａ  端面
７ｂ  大径係止爪
７ｂ１  係止凸部
７ｃ  小径係止爪
７Ｒ１  基部
７Ｒ２  柱状突起部
７Ｒ３  突起部
８  中継連結体
８ａ，８ｅ  端面
８ｂ  大径係止部
８ｂ１  係止凸部
８ｃ  小径係止部
８ｃ１  係止凹部
８ｄ  雌ねじ部
８ｆ  雄ねじ部
２８  中継連結体
２８ａ  係合穴
２８ｂ  ガイド溝
２８ｂ１  屈曲部
２９  ストラップ部
１０  プラグ
１１  プラグコード
１２  ホルダ
１２Ｌ，１２Ｒ  保持部
１３  開閉部
１４  分離部
７Ｒ１  基部
７Ｒ２  柱状突出部
７Ｒ３  突起部
５０  ヘッドホン
５１  ストラップ
【図１】
2008183284.tif 000003
【図２】
2008183284.tif 000004
【図３】
2008183284.tif 000005
【図４】
2008183284.tif 000006
【図５】
2008183284.tif 000007
【図６】
2008183284.tif 000008
【図７】
2008183284.tif 000009